(57)【要約】【課題】ディスプレイに、ディスプレイ近傍の人の画像および関連情報を表示するシステムにおいて、ディスプレイ近傍の人の数によって表示する内容を変更するユーザ情報表示システム、ユーザ情報表示方法および表示制御サーバを提供する。【解決手段】少なくともユーザ情報を表示する表示手段と、前記表示手段の近傍にいるユーザを識別する近傍ユーザ識別手段と、前記表示手段への表示内容を決定する表示制御手段とを有し、前記表示制御手段は、前記近傍ユーザ識別手段によって識別されたユーザ数に基づいて、前記ユーザの情報の表示、予め登録された画像の表示のいずれかを選択することを特徴とする。【選択図】図１
2009295087.tif 000002
【特許請求の範囲】
【請求項１】
少なくともユーザ情報を表示する表示手段と、
前記表示手段の近傍にいるユーザを識別する近傍ユーザ識別手段と、
前記表示手段への表示内容を決定する表示制御手段とを有し、
前記表示制御手段は、前記近傍ユーザ識別手段によって識別されたユーザ数に基づいて、前記ユーザの情報の表示、予め登録された画像の表示のいずれかを選択することを特徴とするユーザ情報表示システム。
【請求項２】
前記表示制御手段は、前記近傍ユーザ識別手段によって識別されたユーザがいない場合には、予め登録された画像の表示を選択し、前記識別されたユーザが１名以上いる場合には、前記識別された全てのユーザについてのユーザ情報の表示を選択することを特徴とする請求項１に記載のユーザ情報表示システム。
【請求項３】
前記表示制御手段は、前記近傍ユーザ識別手段によって識別されたユーザがいない場合、または、ユーザ数が１の場合には予め登録された画像の表示を選択し、
前記識別されたユーザが２名以上いる場合には、前記識別された全てのユーザについてのユーザ情報の表示を選択することを特徴とする請求項１に記載のユーザ情報表示システム。
【請求項４】
ユーザに対応するユーザ識別子とユーザ情報の組み合わせを１つ以上記憶するユーザ情報記憶手段を有し、
前記表示制御手段は、予め登録された画像を表示内容として出力する第１の表示生成部と、外部から入力されたユーザ識別子に対応する前記ユーザ情報を前記ユーザ情報記憶手段から取得して表示内容を生成して出力する第２の表示生成部を有し、
前記表示制御手段は、前記近傍ユーザ識別手段によって識別された前記ユーザ数が０である場合には前記第１の表示生成部の表示内容を前記表示手段に出力し、
前記ユーザ数が１以上の場合には前記識別された全てのユーザのユーザ識別子を前記第２の表示生成部に入力し、前記第２の表示生成部の表示内容を前記表示手段に出力することを特徴とする請求項１に記載のユーザ情報表示システム。
【請求項５】
ユーザに対応するユーザ識別子とユーザ情報の組み合わせを１つ以上記憶するユーザ情報記憶手段を有し、
前記表示制御手段は予め登録された画像を表示内容として出力する第１の表示生成部と、外部から入力されたユーザ識別子に対応する前記ユーザ情報を前記ユーザ情報記憶手段から取得して表示内容を生成して出力する第２の表示生成部を有し、
前記表示制御手段は、前記近傍ユーザ識別手段によって識別された前記ユーザ数が０または１である場合には前記第１の表示生成部の表示内容を前記表示手段に出力し、
前記ユーザ数が２以上の場合には、前記識別された全てのユーザのユーザ識別子を前記第２の表示生成部に入力し、前記第２の表示生成部の表示内容を前記表示手段に出力することを特徴とする請求項１に記載のユーザ情報表示システム。
【請求項６】
少なくともユーザ情報を表示する表示手段と、
前記表示手段の近傍にいるユーザを識別する近傍ユーザ識別手段と、
前記表示手段への表示内容を決定する表示制御手段とを有し、
前記表示制御手段は、前記近傍ユーザ識別手段によって識別されたユーザ数に基づいて、前記ユーザの情報の表示、予め登録された画像の表示、前記ユーザが指定する画像の表示のいずれかを選択することを特徴とするユーザ情報表示システム。
【請求項７】
前記表示制御手段は、前記近傍ユーザ識別手段によって識別されたユーザがいない場合には、予め登録された画像の表示を選択し、前記識別されたユーザが１名の場合には、当該ユーザが指定する画像の表示を選択し、前記表示手段近傍にユーザが２名以上いる場合には、前記識別された全てのユーザについてのユーザ情報の表示を選択することを特徴とする請求項６に記載のユーザ情報表示システム。
【請求項８】
ユーザに対応するユーザ識別子とユーザ情報と表示画像の組み合わせを１つ以上記憶するユーザ情報記憶手段を有し、
前記表示制御手段は予め登録された画像を表示内容として出力する第１の表示生成部と、
外部から入力されたユーザ識別子に対応する前記ユーザ情報を前記ユーザ情報記憶手段から取得して表示内容を生成して出力する第２の表示生成部と、
外部から入力されたユーザ識別子に対応する表示画像を前記ユーザ情報記憶手段から取得して表示内容を生成して出力する第３の表示生成部とを有し、
前記表示制御手段は、前記近傍ユーザ識別手段によって識別された前記ユーザ数が０である場合には前記第１の表示生成部の表示内容を前記表示手段に出力し、
前記ユーザ数が１の場合には前記ユーザのユーザ識別子を前記第３の表示生成部に入力し、前記第３の表示生成部の表示内容を前記表示手段に出力し、
前記ユーザ数が２以上の場合には前記識別された全てのユーザのユーザ識別子を前記第２の表示生成部に入力し、前記第２の表示生成部の表示内容を前記表示手段に出力することを特徴とする請求項６に記載のユーザ情報表示システム。
【請求項９】
前記表示手段は２つ以上あり、
前記近傍ユーザ識別手段は、前記２つ以上の表示手段のそれぞれについて近傍にいるユーザを識別し、
前記表示制御手段は、前記２つ以上の表示手段のそれぞれに対する表示内容を決定する場合に、前記近傍ユーザ識別手段によって識別された前記表示手段、ならびに、他の表示手段の近傍にいるユーザ数に基づいて、前記ユーザの情報の表示、予め登録された画像の表示のいずれかを選択することを特徴とする請求項１に記載のユーザ情報表示システム。
【請求項１０】
前記表示制御手段は、前記２つ以上の表示手段のそれぞれに対する表示内容を決定する場合に、近傍ユーザ識別手段によって識別された前記表示手段、または、他の表示手段の近傍にいるユーザ数の合計が０の場合には、予め登録された画像の表示を選択し、
前記合計数が１以上の場合には、前記識別された全てのユーザについてのユーザ情報の表示を選択することを特徴とする請求項９に記載のユーザ情報表示システム。
【請求項１１】
前記表示制御手段は、前記２つ以上の表示手段のそれぞれに対する表示内容を決定する場合に、近傍ユーザ識別手段によって識別された前記表示手段、または、他の表示手段の近傍にいるユーザ数の合計が０または１の場合には、予め登録された画像の表示を選択し、
前記合計数が２以上の場合には、前記識別された全てのユーザについてのユーザ情報の表示を選択することを特徴とする請求項９に記載のユーザ情報表示システム。
【請求項１２】
前記表示制御手段は、前記２つ以上の表示手段のそれぞれに対する表示内容を決定する場合に、前記近傍ユーザ識別手段により、前記表示手段以外の表示手段の近傍に識別された前記ユーザがおらず、かつ、前記表示手段の近傍に識別されたユーザの数が０または１の条件では予め決められた画像を表示内容とし、
前記条件以外の場合には、前記表示手段および他の表示手段の近傍に識別された全てのユーザについてのユーザ情報の表示を選択することを特徴とする請求項９に記載のユーザ情報表示システム。
【請求項１３】
ユーザに対応するユーザ識別子とユーザ情報の組み合わせを１つ以上記憶するユーザ情報記憶手段を有し、
前記表示制御手段は、予め登録された画像を表示内容として出力する第１の表示生成部と、外部から入力されたユーザ識別子に対応する前記ユーザ情報を前記ユーザ情報記憶手段から取得して表示内容を生成して出力する第２の表示生成部を有し、
前記表示制御手段はそれぞれの表示手段への表示内容を決定する場合に、
前記近傍ユーザ識別手段によって識別された、前記表示手段および他の表示手段の近傍のユーザ数の合計が０である場合には前記第１の表示生成部の表示内容を前記表示手段に出力し、
前記合計の数が１以上の場合には前記識別された全てのユーザのユーザ識別子を前記第２の表示生成部に入力し、前記第２の表示生成部の表示内容を前記表示手段に出力することを特徴とする請求項９に記載のユーザ情報表示システム。
【請求項１４】
ユーザに対応するユーザ識別子とユーザ情報の組み合わせを１つ以上記憶するユーザ情報記憶手段を有し、
前記表示制御手段は予め登録された画像を表示内容として出力する第１の表示生成部と、外部から入力されたユーザ識別子に対応する前記ユーザ画像および前記ユーザ情報を前記ユーザ情報記憶手段から取得して表示内容を生成して出力する第２の表示生成部を有し、
前記表示制御手段はそれぞれの表示手段への表示内容を決定する場合に、
前記近傍ユーザ識別手段によって識別された、前記表示手段および他の表示手段の近傍のユーザ数の合計が０または１である場合には前記第１の表示生成部の表示内容を前記表示手段に出力し、
前記合計の数が２以上の場合には前記識別された全てのユーザのユーザ識別子を前記第２の表示生成部に入力し、前記第２の表示生成部の表示内容を前記表示手段に出力することを特徴とする請求項９に記載のユーザ情報表示システム。
【請求項１５】
ユーザに対応するユーザ識別子とユーザ情報の組み合わせを１つ以上記憶するユーザ情報記憶手段を有し、
前記表示制御手段は予め登録された画像を表示内容として出力する第１の表示生成部と、外部から入力されたユーザ識別子に対応する前記ユーザ情報を前記ユーザ情報記憶手段から取得して表示内容を生成して出力する第２の表示生成部を有し、
前記表示制御手段はそれぞれの表示手段への表示内容を決定する場合に、前記近傍ユーザ識別手段により、前記表示手段以外の表示手段の近傍で識別された前記ユーザがおらず、かつ、前記表示手段の近傍に識別されたユーザの数が０または１の条件では、前記第１の表示生成部の表示内容を前記表示手段に出力し、
前記条件以外の場合には、前記表示手段および他の表示手段の近傍に識別されたユーザ全てのユーザ識別子を前記第２の表示生成部に入力し、前記第２の表示生成部の表示内容を前記表示手段に出力することを特徴とする請求項９に記載のユーザ情報表示システム。
【請求項１６】
前記表示手段は２つ以上あり、
前記近傍ユーザ識別手段は、前記２つ以上の表示手段のそれぞれについて近傍にいるユーザを識別し、
前記表示制御手段は、前記２つ以上の表示手段のそれぞれに対する表示内容を決定する場合に、前記近傍ユーザ識別手段によって識別された前記表示手段ならびに他の表示手段の近傍にいるユーザ数に基づいて、前記ユーザの情報の表示、予め登録された画像の表示、前記ユーザが指定する画像の表示のいずれかを選択することを特徴とするユーザ情報表示システム。
【請求項１７】
前記表示制御手段は、前記２つ以上の表示手段のそれぞれに対する表示内容を決定する場合に、近傍ユーザ識別手段によって識別された、前記表示手段および他の表示手段の近傍にいるユーザ数の合計が０の場合には、予め登録された画像の表示を選択し、
前記合計数が１の場合には、前記識別されたユーザによって指定された画像の表示を選択し、前記合計数が２以上の場合には、前記識別された全てのユーザについてのユーザ情報の表示を選択することを特徴とする請求項１６に記載のユーザ情報表示システム。
【請求項１８】
前記表示制御手段は、前記２つ以上の表示手段のそれぞれに対する表示内容を決定する場合に、
前記近傍ユーザ識別手段によって前記２つ以上の全ての表示手段の近傍に識別されたユーザがいない第１の条件では予め登録された画像を表示内容とし、
前記表示手段の近傍に識別された前記ユーザが１名あり、前記表示手段以外の表示手段の近傍に識別された前記ユーザがいない第２の条件では、前記表示手段近傍のユーザによって予め登録された画像を表示内容とし、
前記第１および第２の条件以外の場合には、前記表示手段および他の表示手段の近傍に識別されたユーザ全てのユーザ情報から構成される表示内容とすることを特徴とする請求項１６に記載のユーザ情報表示システム。
【請求項１９】
ユーザに対応するユーザ識別子とユーザ情報と表示画像の組み合わせを１つ以上記憶するユーザ情報記憶手段を有し、
前記表示制御手段は予め登録された画像を表示内容として出力する第１の表示生成部と、外部から入力されたユーザ識別子に対応する前記ユーザ情報を前記ユーザ情報記憶手段から取得して表示内容を生成して出力する第２の表示生成部と、外部から入力されたユーザ識別子に対応する表示画像を前記ユーザ情報記憶手段から取得して表示内容を生成して出力する第３の表示生成部とを有し、
前記表示制御手段はそれぞれの表示手段への表示内容を決定する場合に、
前記近傍ユーザ識別手段によって識別された、前記表示手段および他の表示手段の近傍のユーザ数の合計が０である場合には前記第１の表示生成部の表示内容を前記表示手段に出力し、
前記合計の数が１の場合には前記識別されたユーザのユーザ識別子を前記第３の表示生成部に入力し、前記第３の表示生成部の表示内容を前記表示手段に出力し、
前記合計の数が２以上の場合には前記識別された全てのユーザのユーザ識別子を前記第２の表示生成部に入力し、前記第２の表示生成部の表示内容を前記表示手段に出力することを特徴とする請求項１６に記載のユーザ情報表示システム。
【請求項２０】
ユーザに対応するユーザ識別子とユーザ情報と表示画像の組み合わせを１つ以上記憶するユーザ情報記憶手段を有し、
前記表示制御手段は予め登録された画像を表示内容として出力する第１の表示生成部と、外部から入力されたユーザ識別子に対応する前記ユーザ情報を前記ユーザ情報記憶手段から取得して表示内容を生成して出力する第２の表示生成部と、外部から入力されたユーザ識別子に対応する表示画像を前記ユーザ情報記憶手段から取得して表示内容を生成して出力する第３の表示生成部とを有し、
前記表示制御手段はそれぞれの表示手段への表示内容を決定する場合に、
前記近傍ユーザ識別手段によって前記２つ以上の全ての表示手段の近傍に識別されたユーザがいない第１の条件では前記第１の表示生成部の表示内容を前記表示手段に出力し、
前記表示手段の近傍に識別された前記ユーザが１名あり、前記表示手段以外の表示手段の近傍に識別された前記ユーザがいない第２の条件では、前記識別されたユーザのユーザ識別子を前記第３の表示生成部に入力し、前記第３の表示生成部の表示内容を前記表示手段に出力し、
前記第１および第２の条件以外の場合には、前記表示手段および他の表示手段の近傍に識別されたユーザ全てのユーザ識別子を前記第２の表示生成部に入力し、前記第２の表示生成部の表示内容を前記表示手段に出力することを特徴とする請求項１６に記載のユーザ情報表示システム。
【請求項２１】
少なくともユーザ情報を表示手段により表示する表示工程と、
前記表示手段の近傍にいるユーザを近傍ユーザ識別手段により識別する識別工程と、
前記近傍ユーザ識別手段によって識別されたユーザ数に基づいて、ユーザの情報の表示、予め登録された画像の表示のいずれかを選択し、前記表示手段への表示内容を表示制御手段により決定する表示制御工程とを有することを特徴とするユーザ情報表示方法。
【請求項２２】
前記表示制御工程では、前記近傍ユーザ識別手段により前記表示手段近傍に識別されたユーザがいない場合には、予め登録された画像の表示を選択し、
前記表示手段近傍に識別されたユーザが１名以上いる場合には、識別された全てのユーザについてのユーザ情報の表示を選択することを特徴とする請求項２１に記載のユーザ情報表示方法。
【請求項２３】
前記表示制御工程では、前記表示制御手段により、前記近傍ユーザ識別手段で前記表示手段近傍に識別されたユーザがいない、または、ユーザ数が１の場合には、予め登録された画像の表示を選択し、
前記表示手段近傍に識別されたユーザが２名以上いる場合には、識別された全てのユーザについてのユーザ情報の表示を選択することを特徴とする請求項２１に記載のユーザ情報表示方法。
【請求項２４】
少なくともユーザ情報を表示手段により表示する表示工程と、
前記表示手段の近傍にいるユーザを近傍ユーザ識別手段により識別する識別工程と、
前記近傍ユーザ識別手段によって識別されたユーザ数に基づいて、ユーザの情報の表示、予め登録された画像の表示、ユーザが指定する画像の表示のいずれかを選択し、前記表示手段への表示内容を表示制御手段により決定する表示制御工程とを有することを特徴とするユーザ情報表示方法。
【請求項２５】
前記表示制御工程では、前記表示制御手段により、前記近傍ユーザ識別手段で前記表示手段近傍に識別されたユーザがいない場合には、予め登録された画像の表示を選択し、
前記表示手段近傍に識別されたユーザが１名の場合には当該ユーザが指定する画像の表示を選択し、
前記表示手段近傍に識別されたユーザが２名以上いる場合には、識別された全てのユーザについてのユーザ情報の表示を選択することを特徴とする請求項２４に記載のユーザ情報表示方法。
【請求項２６】
ユーザを識別する近傍ユーザ識別手段から取得したユーザ数に基づいて、ユーザの情報の表示、予め登録された画像の表示のいずれかを選択することを特徴とする表示制御サーバ。
【請求項２７】
前記表示手段近傍にユーザがいない、または、ユーザ数が１の場合には予め登録された画像の表示を選択し、
前記表示手段近傍にユーザが２名以上いる場合には、全てのユーザについてのユーザ情報の表示を選択することを特徴とする請求項２６に記載の表示制御サーバ。
【請求項２８】
前記表示手段近傍にいるユーザが１名の場合にはユーザが指定する画像の表示を選択し、
前記表示手段近傍にユーザが２名以上いる場合には、全てのユーザについてのユーザ情報の表示を選択することを特徴とする請求項２６に記載の表示制御サーバ。
【発明の詳細な説明】
【技術分野】
【０００１】
本発明は、ディスプレイ近傍の人の数によって表示方法を変更するユーザ情報表示システム、ユーザ情報表示方法および表示制御サーバに関する。
【背景技術】
【０００２】
大型ディスプレイなど共有の表示装置に、表示装置の周辺にいる人物の画像や文字情報を表示するシステムがある。
【０００３】
例えば、大型ディスプレイ近傍の人物について、その人物を視覚的に表現したアバターと呼ばれる画像や、人物に関する文字情報を大型ディスプレイに表示し、コミュニケーションを支援するためのツールとするようなユーザ情報表示システムが存在する。
【０００４】
例えば、非特許文献１に記載されたアバターによるコミュニケーション支援システムは、ディスプレイ近傍のユーザのシルエットをアバターとして表示し、かつ、登録されたユーザのプロフィールから共通点を検索して表示することで、ユーザ同士のコミュニケーションを支援することを目的としたユーザ情報表示システムが開示されている。
【０００５】
非特許文献１に開示されるユーザ情報表示システムについて、以下に説明する。
【０００６】
図２２は、非特許文献１に開示されるユーザ情報表示システムの構成を示すものであり、表示制御手２２０１と、記憶手段２２０２と、表示手段２２０３と、ユーザ特定手段２２０４とから構成される。２２０５ならびに２２０６は、本情報表示システムを利用するユーザである。
【０００７】
記憶手段２２０２には、予めユーザ２２０５、２２０６のそれぞれが、自分のプロフィールと、自分を認識するための情報を登録している。
【０００８】
ユーザ特定手段２２０４は、ユーザ２２０５、２２０６の映像を取得し、記憶手段２２０２に登録されたユーザを認識するための情報により、映像内にいるユーザを特定する機能を持つ。また、取得したユーザ２２０５および２２０６の映像から、ユーザのシルエットの画像を作成する。
【０００９】
表示制御手段２２０１は、ユーザ特定手段２２０４によって特定されたユーザについて、記憶手段２２０２に登録されたプロフィールから、特定されたユーザ間の共通点を選択し、表示手段２２０３に、ユーザ特定手段２２０４によって作成されたシルエット画像とともに共通点を表示する。
【００１０】
図２３は、非特許文献１に開示されるユーザ情報表示システムの表示手段２２０３に表示される内容の例を示したものである。
【００１１】
図２２のように表示手段２２０３の近傍にあるユーザ２２０５および２２０６がユーザ特定手段２２０４によって特定された場合、ユーザ２２０５のシルエット画像２３１１、ユーザ２２０６のシルエット画像２３１２、および記憶手段２２０２に記憶されたユーザ２２０５の情報２３１３とユーザ２２０６の情報２３１４が表示されるとともに、共通情報２３１５が表示される。
【００１２】
このユーザ情報表示システムによって、ユーザ２２０５（またはユーザ２２０６）は、表示手段２２０３に表示されたシルエット画像２３１１、２３１３と共通情報２３１５とから、ユーザ２２０６（または２２０５）が自分と共通のプロフィールを持つことを認識することができ、コミュニケーションのきっかけとなる。
【００１３】
また、特許文献１の情報表示装置は、利用者に所持される携帯端末は微弱な電磁波で無縁通信を行う機能を有し、通路等に設置された大画面ディスプレイの近傍には同様の機能を備えた無線通信部が設けられ、無線通信部が利用者の到来を検知する毎に、検知した利用者に対応する表示領域をディスプレイの表示画面上に設け、個々の利用者に対応する表示領域を個々の利用者に通知し、個々の表示領域に表示する情報を、対応する利用者がキー操作又は音声入力を行うことが開示されている。
【特許文献１】特開２００３−３０６９７号公報
【非特許文献１】「Ｓｉｌｈｏｕｅｔｔｅｌｌ：実空間での出会いにおけるアウェアネス支援」、マルチメディア・分散・協調とモーバイルシンポジウム（ＤｉＣｏＭｏ'９８）、ｐｐ．７０１−７０８（１９９８年）
【発明の開示】
【発明が解決しようとする課題】
【００１４】
非特許文献１で開示されるユーザ情報表示システムでは、大型ディスプレイの近傍にユーザが１人しかいない場合にも、そのユーザのシルエット画像およびプロフィールが表示される（図２４）。
【００１５】
しかし、実際には、ユーザにとって、１人しかいない場合には自分のシルエット画像よりも、風景写真などの画像が表示されるほうがその場にいて心地よく感じられる場合もある（図２５）。
【００１６】
また、１人しかいないユーザに心地よく感じさせ、ディスプレイ近傍に長時間滞在させることで、他のユーザとディスプレイ近傍で遭遇し、本システムの目的であるコミュニケーションの誘発を増大させることができる。
【００１７】
また、特許文献１の情報表示装置は、表示装置に割り当てる各ユーザの表示領域の割り当てを変更するものであり、ディスプレイ近傍のユーザ数によって、表示する内容を変更することが示唆されていない。
【００１８】
そこで、本発明の目的は、ディスプレイに、ディスプレイ近傍の人の画像および関連情報を表示するシステムにおいて、ディスプレイ近傍の人の数によって表示する内容を変更するユーザ情報表示システム、ユーザ情報表示方法および表示制御サーバを提供することにある。
【課題を解決するための手段】
【００１９】
本発明の第１のユーザ情報表示システムは、少なくともユーザ情報を表示する表示手段と、前記表示手段の近傍にいるユーザを識別する近傍ユーザ識別手段と、前記表示手段への表示内容を決定する表示制御手段とを有し、前記表示制御手段は、前記近傍ユーザ識別手段によって識別されたユーザ数に基づいて、前記ユーザの情報の表示、予め登録された画像の表示のいずれかを選択することを特徴とする。
【００２０】
本発明の第２のユーザ情報表示システムは、少なくともユーザ情報を表示する表示手段と、前記表示手段の近傍にいるユーザを識別する近傍ユーザ識別手段と、前記表示手段への表示内容を決定する表示制御手段とを有し、前記表示制御手段は、前記近傍ユーザ識別手段によって識別されたユーザ数に基づいて、前記ユーザの情報の表示、予め登録された画像の表示、前記ユーザが指定する画像の表示のいずれかを選択することを特徴とする。
【００２１】
本発明の第１のユーザ情報表示方法は、少なくともユーザ情報を表示手段により表示する表示工程と、前記表示手段の近傍にいるユーザを近傍ユーザ識別手段により識別する識別工程と、前記近傍ユーザ識別手段によって識別されたユーザ数に基づいて、ユーザの情報の表示、予め登録された画像の表示のいずれかを選択し、前記表示手段への表示内容を表示制御手段により決定する表示制御工程とを有することを特徴とする。
【００２２】
本発明の第２のユーザ情報表示方法は、少なくともユーザ情報を表示手段により表示する表示工程と、前記表示手段の近傍にいるユーザを近傍ユーザ識別手段により識別する識別工程と、前記近傍ユーザ識別手段によって識別されたユーザ数に基づいて、ユーザの情報の表示、予め登録された画像の表示、ユーザが指定する画像の表示のいずれかを選択し、前記表示手段への表示内容を表示制御手段により決定する表示制御工程とを有することを特徴とする。
【００２３】
本発明の第１の表示制御サーバは、ユーザを識別する近傍ユーザ識別手段から取得したユーザ数に基づいて、ユーザの情報の表示、予め登録された画像の表示のいずれかを選択することを特徴とする。
【発明の効果】
【００２４】
本発明によれば、表示手段に近傍ユーザの画像および情報を表示するシステムにおいて、近傍ユーザの数によって適切な方法で表示内容を変更するユーザ情報表示システム、ユーザ情報表示方法および表示制御サーバを提供することが可能となる。
【発明を実施するための最良の形態】
【００２５】
本発明は、ディスプレイに、ディスプレイ近傍の人の画像および関連情報を表示するシステムにおいて、ディスプレイ近傍の人の数によって表示する内容を変更することを可能とする。
【００２６】
たとえば、ディスプレイ近傍に１人しかいない場合は、予め登録した風景写真の画像を表示し、２人以上になった場合に、それらユーザの画像および関連情報を表示する。
【００２７】
上記本発明は、以下の特徴と有する。
【００２８】
本発明のユーザ情報表示システムは、表示手段と、表示制御手段と、近傍ユーザ識別手段とを備えている。
【００２９】
表示制御手段が２つ以上の表示生成部を有し、近傍ユーザ識別手段によって識別された表示手段近傍のユーザ数によって使用する表示生成部を選択することを特徴とする。これにより、表示手段近傍にいるユーザ数により、表示する内容を変更することができる。
【００３０】
例えば、表示制御手段は２つの表示生成部を有し、表示手段近傍にユーザがいない場合には、予め決められた画像を表示する第１の表示生成部を選択し、表示手段近傍のユーザが１名以上いる場合には、ユーザ画像およびユーザ情報から構成される表示内容を生成する第２の表示生成部を選択する。
【００３１】
表示部分近傍のユーザが１人以下の場合には、予め決められた画像を表示する第１の表示生成部を選択し、表示部分近傍のユーザが２名以上いる場合には、ユーザ画像およびユーザ情報から構成される表示内容を生成する第２の表示生成部を選択するようにしてもよい。
【００３２】
また、表示制御手段は３つの表示生成部を有し、表示手段近傍にユーザがいない場合には予め決められた画像を表示する第１の表示生成部を選択し、表示手段近傍のユーザが１名の場合には当該ユーザが予め登録した表示画像を提供する第２の表示生成部を選択し、２名以上の場合にはユーザ画像およびユーザ情報から構成される表示内容を生成する第２の表示生成部を選択するようにしてもよい。
【００３３】
表示手段が２つ以上あり、近傍ユーザ識別手段によって検出されたそれぞれの表示手段の近傍にいるユーザ数によって、使用する表示生成部を決定するようにしてもよい。
【００３４】
例えば、表示制御手段は２つの表示生成部を有し、いずれの表示手段の近傍にもユーザがいない場合には予め決められた画像を表示する第１の表示生成部を選択し、それぞれの表示手段の近傍いるユーザ数の合計が１以上の場合にはユーザ画像およびユーザ情報から構成される表示内容を生成する第２の表示生成部を選択する。
【００３５】
表示制御手段は２つの表示生成部を有し、それぞれの表示手段の近傍いるユーザ数の合計が１以下の場合には予め決められた画像を表示する第１の表示生成部を選択し、合計数が２以上の場合にユーザ画像およびユーザ情報から構成される表示内容を生成する第２の表示生成部を選択するようにしてもよい。
【００３６】
表示制御手段は３つの表示生成部を有し、いずれの表示手段の近傍にもユーザがいない場合には予め決められた画像を表示する第１の表示生成部を選択し、いずれかの表示手段の近傍にユーザが１名だけいる場合には当該ユーザが予め登録した表示画像を提供する第２の表示生成部を選択し、それぞれの表示手段の近傍いるユーザ数の合計が２以上の場合にユーザ画像およびユーザ情報から構成される表示内容を生成する第２の表示生成部を選択することも考えられる。
【００３７】
表示制御手段が２つの表示生成部を有し、それぞれの表示手段への表示内容の決定に際して、当該表示手段以外の表示手段の近傍にはユーザがおらず、かつ当該表示手段の近傍にいるユーザが１以下の条件で予め決められた画像を表示する第１の表示生成部を選択し、それ以外の条件においては当該およびその他の表示手段近傍にいるすべてのユーザのユーザ画像およびユーザ情報から構成される表示内容を生成する第２の表示生成部を選択するようにしてもよい。
【００３８】
表示制御手段が３つの表示生成部を有し、それぞれの表示手段への表示内容の決定に際して、いずれの表示手段の近傍にもユーザがいない場合には予め決められた画像を表示する第１の表示生成部を選択し、当該表示手段の近傍にのみ１名のユーザがいる場合には当該ユーザが予め登録した表示画像を提供する第３の表示生成部を選択し、それ以外の条件においては当該およびその他の表示手段近傍にいるすべてのユーザのユーザ画像およびユーザ情報から構成される表示内容を生成する第２の表示生成部を選択することも考えられる。
【００３９】
上記特徴を有する本発明を、好適に実施する実施形態について以下に説明する。
【００４０】
（第１の実施形態）
本発明の第１の実施形態によるユーザ情報表示システムについて、図面を参照して説明する。
【００４１】
図１は、本発明の第１の実施形態によるユーザ情報表示システムの構成を記載したものである。
【００４２】
図１において、本発明の第１の実施形態によるユーザ情報表示システム１００は、表示手段１０１と、表示制御手段１０２と、ユーザ情報記憶手段１０３と、近傍ユーザ識別手段１０４とから構成される。
【００４３】
本発明の第１の実施形態によるユーザ情報記憶手段１０３は、本ユーザ情報表示システムを使用するユーザの情報を記憶するものである。
【００４４】
図２は、ユーザ情報記憶手段１０３に記憶される内容の１例を記載したものである。ユーザ情報記憶手段１０３には、ユーザ識別子と、ユーザの情報として、ユーザ画像と、ユーザ情報とが組み合わされ記憶されている。
【００４５】
図２の例では、ユーザ識別子１（２０１）とユーザ画像１（２０２）とユーザ情報１（２０３）の組み合わせと、ユーザ識別子２（２１１）とユーザ画像２（２１２）とユーザ情報２（２１３）の組み合わせと、ユーザ識別子３（２２１）とユーザ画像３（２２２）とユーザ情報３（２２３）の組み合わせが登録されている。
【００４６】
なお、図２の例では組み合わせの数は３つであるが、ユーザ情報記憶手段１０３に記憶されるユーザ識別子とユーザ画像とユーザ情報の組み合わせの数はこの限りではなく、任意である。ユーザ識別子は、記憶手段１０３に記憶される複数の組み合わせを１意に識別するものである。ユーザ画像とユーザ情報の例としては、人物の外見的特徴や趣味などを視覚的に表現したユーザ画像と、その人物の氏名や所属・職位・メールアドレスなどの情報が考えられるがこの限りではない。
【００４７】
本発明の第１の実施形態による近傍ユーザ識別手段１０４は、表示手段１０１の近傍にいるユーザのユーザ識別子を識別するためのものである。
【００４８】
表示手段１０１の近傍にいるユーザを特定する方法には幾通りかの方法がある。
【００４９】
例えば、図３に示す近傍ユーザ識別手段１０４は、比較的短い範囲内での無線通信が可能な無線受信装置３０１と、ユーザが所持する無線送信装置３０２および３０３によって構成される。
【００５０】
無線送信装置３０１、３０２は各々のユーザが所持するものであり、各々のユーザのユーザ識別子３０４、３０５を送信する手段を持つ。無線受信手段３０１を表示手段１０１の近傍に設置することで、受信可能なユーザ識別子３０４、３０５を、表示位置１０１の近傍ユーザのユーザ識別子とすることができる。
【００５１】
短い距離の範囲内に通信する無線の方式としては、例えばアンテナで受信した電波の電磁誘導の効果によって電力を取得し微弱な電波を発信するＲＦＩＤタグと呼ばれる方式や、ＩＥＥＥ８０１．１５．１に規定されたブルートゥースのような数メートルの範囲で通信可能な方式などの例が考えられるが、本情報提供システムで使用される無線通信方式はこの限りではない。
【００５２】
また、図３の例では無線受信手段は２つであるが、その数を制限するものではない。
【００５３】
また、図４は、本発明の第１の実施形態による近傍ユーザ識別手段１０４が表示手段１０１の近傍にいるユーザを特定するもう１つの構成を示したものである。
【００５４】
近傍ユーザ識別手段は、位置情報管理手段４０１と、本システムを使用するユーザそれぞれが有する位置情報特定手段４０２、４０３とによって構成される。
【００５５】
位置情報特定手段４０２、４０３は、現在の位置を特定し、特定した位置情報をユーザ識別子とともに位置管理手段４０１に送信する機能を有する（４０４、４０５）。現在の位置を特定する方法としては、例えばグローバル・ポジショニング・システムにより緯度経度を特定する方法がある。
【００５６】
また、屋内に固定され、位置を識別するための識別子を無線送信する発信機から受信した位置の識別子によって位置を特定する方法が考えられるが、本情報提供システムで使用される位置特定方法はこの限りではない。
【００５７】
位置管理手段４０１は、受信した位置情報とユーザ識別子の組み合わせ４０４、４０５を、表示手段１０１が設置された位置の位置情報と比較することで、表示手段１０１の近傍にいるユーザのユーザ識別子を特定することができる。なお、図４では簡単のため位置情報特定手段は２つのみ記載しているが、その数を制限するものではない。
【００５８】
なお、図３および図４は、近傍ユーザ識別手段１０４の実現方法の例を示したものであり、表示装置１０１の近傍ユーザのユーザ識別子を取る方法について制限するものではない。
【００５９】
本発明の第１の実施形態による表示制御手段１０２は、表示手段１０１の近傍にいるユーザのユーザ識別子を近傍ユーザ識別手段１０４から取得し、取得できたユーザ識別子により、表示手段１０１への表示を制御するものである。
【００６０】
図５は、表示制御手段１０２の構成を示したものであり、表示制御部５０１と、表示生成部１（５０２）と、表示生成部２（５０３）とにより構成される。
【００６１】
表示生成部１（５０２）は、予め決められた画像を、表示内容として提供する。表示生成部２（５０３）は、表示制御部５０１から１つ以上のユーザ識別子を渡され、渡されたユーザ識別子に対応したユーザの情報としてユーザ画像およびユーザ情報をユーザ情報記憶手段１０４から取得して、これらを使った画面を作成し、表示内容として提供する。
【００６２】
表示制御部は、近傍ユーザ識別手段１０４から取得できたユーザ識別子の数によって、どちらの表示生成部を使用するかを判断して表示内容を取得し、表示手段１０１に出力する。表示制御部５０１は、表示手段１０１から表示制御手段１０４に対して表示内容の要求があった際に起動される。
【００６３】
表示手段１０１から表示制御手段１０４に対して表示内容の要求は、例えば表示制御手段１０４がＷＷＷサーバであり、表示手段１０１がＷＷＷクライアントであり、表示手段１０１から表示手段１０４に対してＲＦＣ２０６８で定められるＨＴＴＰ（エイチ・ティー・ティー・ピー）リクエストを送信する方法がある。この場合、表示制御手段１０４は、ＨＴＴＰのレスポンスによって表示内容を表示手段１０１に提供する。
【００６４】
また、近傍ユーザ識別手段１０４が、表示手段１０１近傍のユーザ数の変化を表示制御手段１０２に通知することで、表示制御部５０１を起動する方法もある。
【００６５】
図１、図２、図５および図６を合わせ参照して、本発明の第１の実施形態によるユーザ情報表示システムにおいて、表示制御手段１０２の表示制御部５０１が起動されてから表示内容を表示手段１０１に提供するまでの動作を説明する。
【００６６】
図６は、表示制御手段１０２の表示制御部５０１の動作を説明するフローチャートである。
【００６７】
表示制御部５０１は動作を開始すると（ステップ６０１）、近傍ユーザ識別手段１０４から表示手段１０１近傍にいるユーザのユーザ識別子を取得して（ステップ６０２）、取得できたユーザ識別子の数によって使用する表示生成部を選択する。
【００６８】
ユーザ識別子の数が０の場合は、ステップ６０３により表示生成部１（５０２）を選択して、予め決められた画像を表示内容として取得する。
【００６９】
ユーザ識別子の数が１以上の場合は、ステップ６０４により表示生成部２（５０３）を選択し、ユーザ識別子に対応するユーザのユーザ画像およびユーザ情報から生成される表示内容を取得する。ステップ６０５において、表示手段１０１に表示内容を出力し、処理を終了する（ステップ６０６）。
【００７０】
例えば、表示手段１０１の近傍にユーザがいない場合には、図７のように表示手段１０１には予め登録された画像７１０が表示される。また、例えば表示手段１０１の近傍に図２のユーザ識別子１（２０１）とユーザ識別子２（２１１）で識別されるユーザがいる場合には、図８に示すように、ユーザ情報記憶手段１０３から読み出したユーザ画像１（２０２、図８の８２０）、ユーザ情報１（２０３、図８の８２１）、ユーザ画像２（２１２、図８の８２２）、ユーザ情報２（２１３、図８の８２３）によって構成される内容が表示される。
【００７１】
なお、本実施形態と同じ構成において、表示制御部５０１の動作を変更し、近傍ユーザ識別手段１０４から取得したユーザ識別子の数が１以下の場合に表示生成部１を、ユーザ識別子の数が２以上の場合に表示生成部２をそれぞれ使用する実施形態も考えられる。
【００７２】
（第２の実施形態）
本発明の第２の実施形態によるユーザ情報表示システムについて、図面を参照して説明する。
【００７３】
本発明の第２の実施形態によるユーザ情報表示システムの構成は、図１に示す本発明の第１の実施形態によるユーザ情報表示システムと同じであるため、ここでは説明を省略する。
【００７４】
図９は、本発明の第２の実施形態によるユーザ情報表示システムの、ユーザ情報記憶手段１０３に記憶される内容の１例を記載したものである。ユーザ情報記憶手段１０３に記憶されるのは、ユーザ識別子と、ユーザ画像と、ユーザ情報と、表示画像の組み合わせであり、図２に示した本発明の第１の実施形態によるユーザ情報表示システムのユーザ情報記憶手段が記憶する組み合わせと比較して、表示画像が追加される点において異なる。表示画像として、例えばそれぞれのユーザがお気に入りの風景写真やペットの写真などを登録することが考えられるがこの限りではない。
【００７５】
図９の例では、ユーザ識別子１（９０１）とユーザ画像１（９０２）とユーザ情報１（９０３）と表示画像１（９０４）の組み合わせと、ユーザ識別子２（９１１）とユーザ画像２（９１２）とユーザ情報２（９１３）と表示画像２（９１４）の組み合わせと、ユーザ識別子３（９２１）とユーザ画像３（９２２）とユーザ情報３（９２３）と表示画像３（９２４）の組み合わせが登録されている。なお、図９の例では組み合わせの数は３つであるが、記憶手段１０３に記憶されるユーザ識別子とユーザ画像とユーザ情報と表示画像との組み合わせの数はこの限りではなく、任意である。
【００７６】
図１０は、本発明の第２の実施形態による表示制御手段１０２の構成を示したものであり、図５に示した本発明の第１の実施形態による表示制御手段１０２と比較して、表示生成部３（１００４）が追加される点においてのみ異なる。図１０の表示生成部１（１００２）および表示生成部２（１００３）の機能は、それぞれ図５に示した表示生成部１（５０２）および表示生成部２（５０３）の機能と同じであるため、ここでは説明を省略する。図１０の表示生成部３（１００４）は、表示制御部１００１からユーザ識別子を渡され、ユーザ情報記憶手段１０３から、ユーザ識別子と組み合わせ記憶された表示画像を取得し、表示内容として提供する。
【００７７】
［動作の説明］
図１、図９、図１０ならびに図１１を合わせ参照して、本発明の第２の実施形態によるユーザ情報表示システムにおいて、表示制御手段１０２の表示制御部１００１が起動されてから表示内容を表示手段１０１に提供するまでの動作を説明する。
【００７８】
図１１は、表示制御手段１０２の表示制御部１００１の動作を説明するフローチャートである。表示制御部１００１は動作を開始すると（ステップ１１０１）、近傍ユーザ識別手段１０４から表示手段１０１近傍にいるユーザのユーザ識別子を取得して（ステップ１１０２）、取得できたユーザ識別子の数によって使用する表示生成部を選択する。
【００７９】
ユーザ識別子の数が０の場合は、ステップ１１０３により表示生成部１（１００２）を選択して、予め決められた画像を表示内容として取得する。
【００８０】
ユーザ識別子の数が１の場合には、ステップ１１０４により表示生成部２（１００３）を選択し、ユーザ識別子に対応づけてユーザ情報記憶手段１０３に記憶された表示画像を表示内容として取得する。
【００８１】
例えば、ユーザ識別子が図９のユーザ識別子１（９０１）である場合には、表示画像１（９０４）が表示内容となる。
【００８２】
ユーザ識別子の数が２以上の場合は、ステップ１１０５により表示生成部２を選択し、ユーザ識別子に対応するユーザの情報としてユーザ画像およびユーザ情報から生成される表示内容を取得する。ステップ１１０６において、表示手段１０１に表示内容を出力し、処理を終了する（ステップ１１０７）。
【００８３】
例えば、表示手段１０１の近傍にユーザがいない場合には、図７のように表示手段１０１には予め登録された画像７１０が表示される。
【００８４】
表示手段１０１の近傍にユーザ識別子１（９０１）で識別されるユーザが１名のみいる場合には、図１２のように、ユーザ記憶手段１０３から読み出した表示画像１（９０４、図１２の１２１０）が表示手段に表示される。
【００８５】
また、例えば表示手段１０１の近傍にユーザ識別子１（９０１）とユーザ識別子２（９１１）で識別されるユーザがいる場合には、表示手段への表示は図８と同様になり、ここではユーザ情報記憶手段１０３から読み出したユーザ画像１（９０２）、ユーザ情報１（９０３）、ユーザ画像２（９１２）、ユーザ情報２（９１３）によって構成される内容が表示される。
【００８６】
（第３の実施形態）
本発明の第３の実施形態によるユーザ情報表示システムについて、図面を参照して説明する。
【００８７】
図１３は、本発明の第３の実施形態によるユーザ情報表示システムの構成を記載したものである。図１３において、本発明の第３の実施形態によるユーザ情報表示システムは、２つの表示手段１３０１、１３０２と、表示制御手段１３０３と、ユーザ情報記憶手段１３０４と、近傍ユーザ識別手段１３０５とから構成される。
【００８８】
本発明の第３の実施形態によるユーザ情報記憶手段１００４は、本ユーザ情報表示システムを使用するユーザの情報を記憶するものであり、図２に示した本発明の第１の実施形態によるユーザ情報記憶手段１０３が記憶する内容と同じであるためここでは説明を省略する。
【００８９】
本発明の第３の実施形態による近傍ユーザ識別手段１３０５は、表示手段１３０１、１３０２のそれぞれについて、近傍にいるユーザのユーザ識別子を特定するものであり、その方法には幾通りかが考えられる。
【００９０】
例えば、図１４に示したように、表示手段１３０１の近傍に設置した無線受信手段１４０１と、表示手段１３０２の近傍に設置した無線受信手段１４０２と、ユーザが所持する無線送信装置１３１１―１３１４による構成が考えられる。
【００９１】
無線受信手段１４０１、１４０２と無線送信手段１４１１―１４１４は、比較的短い範囲内での無線の送受信が可能であり、無線送信手段１４１１−１４１４がそれぞれ所有者であるユーザのユーザ識別子を送信し、無線受信手段１４０１、１４０２が受信する。
【００９２】
近傍ユーザ識別手段は、無線受信手段１４０１が受信するユーザ識別子１４２１と１４２２を表示手段１３０１近傍のユーザのユーザ識別子と識別し、無線受信手段１４０２が受信するユーザ識別子１４２３と１４２４を表示手段１３０２近傍のユーザのユーザ識別子と識別することができる。
【００９３】
なお、図１４の例では無線受信手段はそれぞれの無線受信手段に対して２つずつであるが、その数を制限するものではない。
【００９４】
また、近傍ユーザ識別手段１３０５が表示手段１３０１、１３０２のそれぞれの近傍にいるユーザのユーザ識別子を特定する別の方法として、図４に示した本発明の第１の実施形態による近傍ユーザ識別手段１０４と同じ構成をもち、位置情報管理手段４０１が位置情報特定手段４０２、４０３から受信した位置情報とユーザ識別子を、表示手段１３０１、１３０２それぞれの位置情報と比較することによって、それぞれの表示手段の近傍にいるユーザのユーザ識別子を識別することも可能である。
【００９５】
なお、上記の例は、近傍ユーザ識別手段１３０５の実現方法の例を示したものであり、表示装置１３０１、１３０２それぞれの近傍ユーザのユーザ識別子を取る方法について制限するものではない。
【００９６】
本発明の第３の実施形態による表示制御手段１３０３は、表示手段１３０１、１３０２の近傍にいるユーザのユーザ識別子を近傍ユーザ識別手段１３０５から取得し、取得できたユーザ識別子により、表示手段１３０１、１３０２への表示を制御するものである。
【００９７】
表示制御手段１３０３の構成は、図５に示した本発明の第１の実施形態によるユーザ情報表示システムの表示制御手段１０２の構成と同じであるため、ここでは説明を省略する。
【００９８】
本発明の第３の実施形態による表示制御手段１３０３は、本発明の第１の実施形態によるユーザ情報表示システムの表示制御手段１０２と比較して、近傍ユーザ識別手段１３０５から取得できた、表示手段１３０１、１３０２それぞれの近傍ユーザのユーザ識別子の合計によって表示生成部１と表示生成部２を選択する点において異なる。
【００９９】
図１３、図２、図５および図１５を合わせ参照して、本発明の第３の実施形態によるユーザ情報表示システムにおいて、表示制御手段１３０３の表示制御部５０１が起動されてから表示内容を表示手段１３０１、１３０２に提供するまでの動作を説明する。
【０１００】
図１５は、表示制御手段１３０３の表示制御部の動作を説明するフローチャートである。表示制御部は動作を開始すると（ステップ１５０１）、近傍ユーザ識別手段１３０５から表示手段１３０１、１３０２の近傍にいるユーザのユーザ識別子を取得して（ステップ１５０２）、取得できたユーザ識別子の数の合計によって使用する表示生成部を選択する。
【０１０１】
ユーザ識別子の数の合計が０の場合は、ステップ１５０３により表示生成部１を選択して、予め決められた画像を表示内容として取得する。ユーザ識別子の数の合計が１以上の場合は、ステップ１５０４により表示生成部２を選択し、ユーザ情報記憶手段１３０４に記憶された、ユーザ識別子に対応するユーザのユーザ画像およびユーザ情報から生成される表示内容を取得する。ステップ１５０５において、表示手段１３０１および１３０２に表示内容を出力し、処理を終了する（ステップ１５０６）。
【０１０２】
例えば、表示手段の近傍にいるユーザ数の合計が０の場合は、すべての表示手段には図７のように予め登録された画像が表示され、表示手段の近傍にいるユーザ数の合計が２の場合には、図８に示すようなユーザ画像およびユーザ情報から構成される表示となる。
【０１０３】
なお、本実施形態と同じ構成において、表示制御部の動作を変更し、近傍ユーザ識別手段１３０５から取得したユーザ識別子の数の合計が１以下の場合に表示生成部１を、ユーザ識別子の数の合計が２以上の場合に表示生成部２をそれぞれ使用する実施形態も考えられる。
【０１０４】
また、表示手段を３つ以上含む構成とし、近傍ユーザ識別手段はすべての表示手段について近傍にいるユーザのユーザ識別子を識別する機能を備え、表示制御部は、近傍ユーザ識別手段から取得されたすべての表示手段の近傍にいるユーザのユーザ識別子の数の合計によって、選択する表示生成部を変更する実施形態も考えられる。
【０１０５】
本発明の第１の実施形態のユーザ情報表示システムから第２の実施形態によるユーザ情報表示システムへの変更を第３の実施形態によるユーザ情報表示システムに適用し、ユーザ情報記憶手段はユーザ識別子とユーザ画像とユーザ情報と表示画像の組み合わせを記憶し、表示制御手段は３つの表示生成部を有し、近傍ユーザ識別手段１３０５から取得したユーザ識別子の数の合計が０の場合には表示生成部１を、合計の数が１の場合は表示生成部３を、合計の数が２以上の場合は表示生成部２をそれぞれ使用する実施形態も同様に考えられる。
【０１０６】
（第４の実施形態）
本発明の第４の実施形態によるユーザ情報表示システムについて、図面を参照して説明する。
【０１０７】
本発明の第３の実施形態によるユーザ情報表示システムの構成は、図１３に示した本発明の第３の実施形態によるユーザ情報表示システムの構成と同じであり、ここでは説明を省略する。
【０１０８】
本発明の第４の実施形態によるユーザ情報記憶手段１３０４、近傍ユーザ識別手段１３０５は、図１３に示した本発明の第３の実施形態によるユーザ情報記憶手段、近傍ユーザ識別手段とそれぞれ同じであるため、ここでは説明を省略する。
【０１０９】
本発明の第４の実施形態による表示制御手段１３０３は、表示手段１３０１、１３０２の近傍にいるユーザのユーザ識別子を近傍ユーザ識別手段１３０５から取得し、取得できたユーザ識別子により、表示手段１３０１、１３０２それぞれへの表示を制御するものである。
【０１１０】
表示制御手段１３０３の構成は、図５に示した本発明の第１の実施形態によるユーザ情報表示システムの表示制御手段１０２の構成と同じであるため、ここでは説明を省略する。本発明の第４の実施形態による表示制御手段１３０３は、本発明の第３の実施形態によるユーザ情報表示システムの表示制御手段と比較して、表示手段１３０１、１３０２のそれぞれについて、近傍ユーザ識別手段１３０５から取得できた、表示手段１３０１、１３０２それぞれの近傍ユーザのユーザ識別子によって表示内容を決定する点において異なる。
【０１１１】
図１３、図２、図５および図１６を合わせ参照して、本発明の第４の実施形態によるユーザ情報表示システムにおいて、表示制御手段１３０３の表示制御部が起動されてから、特定の表示手段について表示内容を生成して出力するまでの動作を説明する。
【０１１２】
図１６は、表示制御手段１３０３の表示制御部の動作を説明するフローチャートである。
【０１１３】
表示制御部は、特定の表示手段に対する表示内容の生成を開始すると（ステップ１６０１）、近傍ユーザ識別手段１３０５から、すべての表示手段のそれぞれについて近傍にいるユーザのユーザ識別子を取得して（ステップ１６０２）、取得できたユーザ識別子の数によって使用する表示生成部を選択する。
【０１１４】
それぞれの表示手段近傍ユーザのユーザ識別子の数の合計が０の場合には、ステップ１６０３により表示生成部１を選択して、予め決められた画像を表示内容として取得する。ユーザ識別子の数の合計が１の場合は、ステップ１６０４において、ユーザ識別子が当該表示手段近傍のユーザかどうかを判定し、当該表示手段近傍のユーザである場合には、ステップ１６０３により表示生成部１を選択する。
【０１１５】
ステップ１６０４において、ユーザ識別子が当該表示手段近傍のユーザでない場合、またはユーザ識別子の合計が２以上の場合は、ステップ１６０５により表示生成部２を選択し、ユーザ情報記憶手段１３０４に記憶された、ユーザ識別子に対応するユーザのユーザ画像およびユーザ情報から生成される表示内容を取得する。ステップ１６０６において、該当する表示手段に表示内容を出力し、処理を終了する（ステップ１６０７）。
【０１１６】
例えば、図１７および図１８に示すように、表示手段１３０１の近傍にはユーザがおらず、表示手段１３０２の近傍にはユーザ識別子１で特定されるユーザが１名のみいる場合、表示制御部は、表示手段１３０１に対しては表示生成部２を選択して、ユーザ情報記憶部１３０４に記憶されたユーザ識別子１に対応するユーザの情報としてユーザ画像１（１７１）ならびにユーザ情報１（１７２）からなる表示内容を出力し、表示手段１３０２に対しては表示生成部１を選択して予め登録された画像１７３を表示する。
【０１１７】
表示手段を３つ以上含む構成とし、近傍ユーザ識別手段はすべての表示手段のそれぞれについて近傍にいるユーザのユーザ識別子を識別する機能を備え、表示制御部は、特定の表示手段への出力内容の生成に際して、図１６に示すフローに従い表示生成部を決定する実施形態も考えられる。
【０１１８】
（第５の実施形態）
本発明の第５の実施形態によるユーザ情報表示システムについて、図面を参照して説明する。
【０１１９】
本発明の第５の実施形態によるユーザ情報表示システムの構成は、図１３に示した本発明の第３の実施形態によるユーザ情報表示システムの構成と同じであり、ここでは説明を省略する。
【０１２０】
本発明の第５の実施形態によるユーザ情報記憶手段１００４が記憶する内容は、図９に示した本発明第２の実施形態によるユーザ情報表示システムのユーザ情報記憶手段１０３が記憶する内容と同じであり、ここでは説明を省略する。
【０１２１】
本発明の第５の実施形態による近傍ユーザ識別手段１３０５は、図１３に示した本発明の第３の実施形態による近傍ユーザ識別手段とそれぞれ同じであるため、ここでは説明を省略する。
【０１２２】
本発明の第５の実施形態による表示制御手段１３０３は、表示手段１３０１、１３０２それぞれに対する表示内容の生成を、近傍ユーザ識別手段１３０５によって識別される表示手段１３０１、１３０２それぞれの近傍ユーザのユーザ識別子によって変更する。
【０１２３】
表示制御手段１３０３の構成は、図１０に示した本発明の第２の実施形態によるユーザ情報表示システムの表示制御手段の構成と同じであるため、ここでは説明を省略する。
【０１２４】
図１３、図９、図１０および図１９を合わせ参照して、本発明の第５の実施形態によるユーザ情報表示システムにおいて、表示制御手段１３０３の表示制御部が起動されてから、特定の表示手段について表示内容を生成して出力するまでの動作を説明する。
【０１２５】
図１９は、表示制御手段１３０３の表示制御部の動作を説明するフローチャートである。表示制御部は、特定の表示手段に対する表示内容の生成を開始すると（ステップ１９０１）、近傍ユーザ識別手段１３０５から、すべての表示手段のそれぞれについて近傍にいるユーザのユーザ識別子を取得して（ステップ１９０２）、取得できたユーザ識別子の数によって使用する表示生成部を選択する。
【０１２６】
それぞれの表示手段近傍ユーザのユーザ識別子の数の合計が０の場合には、ステップ１９０３により表示生成部１を選択して、予め決められた画像を表示内容として取得する。ユーザ識別子の数の合計が１の場合は、ステップ１９０４において、ユーザ識別子が当該表示手段近傍のユーザかどうかを判定し、当該表示手段近傍のユーザである場合には、ステップ１９０５により、表示生成部３にユーザ識別子を入力し、ユーザ識別子に対応する表示画像を表示内容として取得する。
【０１２７】
ステップ１９０４において、ユーザ識別子が当該表示手段近傍のユーザでない場合、またはユーザ識別子の合計が２以上の場合は、ステップ１９０６により表示生成部２を選択し、ユーザ情報記憶手段１３０４に記憶された、ユーザ識別子に対応するユーザのユーザ画像およびユーザ情報から生成される表示内容を取得する。ステップ１９０７において、該当する表示手段に表示内容を出力し、処理を終了する（ステップ１９０８）。
【０１２８】
例えば、図２０および図２１に示すように、表示手段１３０１の近傍にはユーザがおらず、表示手段１３０２の近傍にはユーザ識別子１で特定されるユーザが１名のみいる場合、表示制御部は、表示手段１３０１に対しては表示生成部２を選択して、ユーザ情報記憶部１３０４に記憶されたユーザ識別子１に対応するユーザ画像１（２００１）ならびにユーザ情報１（２００２）からなる表示内容を出力し、表示手段１３０２に対しては表示生成部３を選択して、ユーザ識別子１に対応する表示画像１（２００３）を表示する。
【０１２９】
表示手段を３つ以上含む構成とし、近傍ユーザ識別手段はすべての表示手段のそれぞれについて近傍にいるユーザのユーザ識別子を識別する機能を備え、表示制御部は、特定の表示手段への出力内容の生成に際して、図１９に示すフローに従い表示生成部を決定する実施形態も考えられる。
【図面の簡単な説明】
【０１３０】
【図１】本発明の第１および第２の実施形態によるユーザ情報表示システムの構成を示した図である。
【図２】本発明の第１、第３、第４の実施形態によるユーザ情報表示システムのユーザ情報記憶手段に記憶される内容の例を示した図である。
【図３】本発明の第１、第２の実施形態によるユーザ情報表示システムの近傍ユーザ検出手段の構成の例を示した図である。
【図４】本発明の第１、第２の実施形態によるユーザ情報表示システムの近傍ユーザ検出手段の構成の例を示した図である。
【図５】本発明の第１、第３、第４の実施形態によるユーザ情報表示システムの表示制御手段の構成を示した図である。
【図６】本発明の第１の実施形態によるユーザ情報表示システムにおける、表示制御手段の表示制御部の動作を説明するフローチャートである。
【図７】本発明の第１の実施形態によるユーザ情報表示システムにおける、表示手段への表示の例を示した図である。
【図８】本発明の第１の実施形態によるユーザ情報表示システムにおける、表示手段への表示の例を示した図である。
【図９】本発明の第２、第５の実施形態による情報提供システムの記憶手段の内容を示した図である。
【図１０】本発明の第２、第５の実施形態によるユーザ情報表示システムの表示制御手段の構成を示した図である。
【図１１】本発明の第２の実施形態によるユーザ情報表示システムにおける、表示制御手段の表示制御部の動作を説明するフローチャートである。
【図１２】本発明の第２の実施形態によるユーザ情報表示システムにおける、表示手段への表示の例を示した図である。
【図１３】本発明の第３、第４、第５の実施形態によるユーザ情報表示システムの構成を示した図である。
【図１４】本発明の第３、第４、第５の実施形態によるユーザ情報表示システムの近傍ユーザ検出手段の構成の例を示した図である。
【図１５】本発明の第３の実施形態によるユーザ情報表示システムにおける、表示制御手段の表示制御部の動作を説明するフローチャートである。
【図１６】本発明の第４の実施形態によるユーザ情報表示システムにおける、表示制御手段の表示制御部の動作を説明するフローチャートである。
【図１７】本発明の第４の実施形態によるユーザ情報表示システムにおける、表示手段への表示の例を示した図である。
【図１８】本発明の第４の実施形態によるユーザ情報表示システムにおける、表示手段への表示の例を示した図である。
【図１９】本発明の第５の実施形態によるユーザ情報表示システムにおける、表示制御手段の表示制御部の動作を説明するフローチャートである。
【図２０】本発明の第５の実施形態によるユーザ情報表示システムにおける、表示手段への表示の例を示した図である。
【図２１】本発明の第５の実施形態によるユーザ情報表示システムにおける、表示手段への表示の例を示した図である。
【図２２】文献１に開示される情報提供システムの構成を示した図である。
【図２３】文献１に開示される情報提供システムの、表示手段に表示される内容の例である。
【図２４】文献１に開示される情報提供システムにおいて、表示手段の近傍のユーザが１名のみの場合に表示手段に表示される内容の例である。
【図２５】表示手段の近傍ユーザが１名の場合には予め登録された画像が表示手段に表示される例を示す図である。
【符号の説明】
【０１３１】
１０１、１３０１、１３０２、２２０４    表示手段
１０２、１３０３、２２０１    表示制御手段
１０３、１３０４、２２０２    ユーザ情報記憶手段
１０４、１３０５    近傍ユーザ検出手段
２０１、９０１    ユーザ識別子１
２０２、８２０、９０２、１６１、２００１    ユーザ画像１
２０３、８２１、９０３、１８２、２００２    ユーザ情報１
２１１、９１１    ユーザ識別子２
２１２、８２２、９１２    ユーザ画像２
２１３、８２３、９１３    ユーザ情報２
２２１、９２１    ユーザ識別子３
２２２、９２２    ユーザ画像３
２２３、９２３    ユーザ情報３
３０１、１４０１、１４０２    無線受信手段
３０２、３０３、１４１１、１４１２、１４１３、１４１４    無線送信手段
３０４、３０５、１４２１、１４２２、１４２３、１４２４    ユーザ識別子
４０１    位置情報管理手段
４０２、４０３    位置情報特定手段
４０４、４０５    ユーザ識別子と位置情報
５０１、１００１    表示制御部
５０２、１００２    表示生成部１
５０３、１００３    表示生成部２
６０１、１１０１、１５０１    表示生成部の動作開始ステップ
６０２、１１０２、１５０２    近傍ユーザ識別手段からユーザ識別子を取得するステップ
６０３、１１０３、１５０３、１３０３、１４０３    表示生成部１から表示内容を取得するステップ
６０４、１１０５、１５０４、１３０５、１４０６    表示生成部２にユーザ識別子を渡し表示内容を取得するステップ
６０５、１１０６、１５０５    表示手段に表示内容を出力するステップ
６０６、１１０７、１５０６    表示制御部の動作終了ステップ
８１０、１６３    予め登録された画像
９０４、９１０、２００３    表示画像１
９１４    表示画像２
９２４    表示画像３
１００４    表示生成部３
１１０４、１９０５    表示生成部３にユーザ識別子を渡し表示内容を取得するステップ
１６０１、１９０１    特定の表示手段のための表示制御部の動作開始
１６０２、１９０２    近傍ユーザ識別手段からそれぞれの表示手段近傍ユーザのユーザ識別子を取得するステップ
１６０４、１９０４    特定の表示手段近傍のユーザＩＤの数で判断するステップ
１６０５、１９０６    特定の表示手段に表示内容を出力するステップ
１６０６、１９０７    特定の表示手段のための表示制御部の動作終了ステップ
２２０４    ユーザ特定手段
２２０５、２２０６    ユーザ
【図１】
2009295087.tif 000003
【図２】
2009295087.tif 000004
【図３】
2009295087.tif 000005
【図４】
2009295087.tif 000006
【図５】
2009295087.tif 000007
【図６】
2009295087.tif 000008
【図７】
2009295087.tif 000009
【図８】
2009295087.tif 000010
【図９】
2009295087.tif 000011
【図１０】
2009295087.tif 000012
【図１１】
2009295087.tif 000013
【図１２】
2009295087.tif 000014
【図１３】
2009295087.tif 000015
【図１４】
2009295087.tif 000016
【図１５】
2009295087.tif 000017
【図１６】
2009295087.tif 000018
【図１７】
2009295087.tif 000019
【図１８】
2009295087.tif 000020
【図１９】
2009295087.tif 000021
【図２０】
2009295087.tif 000022
【図２１】
2009295087.tif 000023
【図２２】
2009295087.tif 000024
【図２３】
2009295087.tif 000025
【図２４】
2009295087.tif 000026
【図２５】
2009295087.tif 000027